(57)【要約】【課題】撮像部を備えた携帯端末装置において、小型化を図ると共に、様々な種類の記録媒体との間で情報伝達を行うことができるようにする。【解決手段】２つの筐体２，３が重ね合わせ自在かつ回動可能に連結され、少なくとも一方の筐体３の重ね合わされる側の内面８に第１の電気的接続部１１が設けられ、該第１の電気的接続部１１は、少なくとも前記一方の筐体３に設けられる固定側端子部１７と、該固定側端子部１７に対して着脱自在とされた媒体接続端子部１８とを備え、前記２つの筐体２，３を重ね合わせた際に、各筐体２，３間に挟まれる薄板状の記録媒体が備える第２の電気的接続部と前記媒体接続端子部１８とが接続されることを特徴とする携帯端末装置１を提供する。【選択図】　　　図３
2004040202.tif 000002
【特許請求の範囲】
【請求項１】
２つの筐体が重ね合わせ自在かつ回動可能に連結され、少なくとも一方の筐体の重ね合わされる側の内面に、第１の電気的接続部が設けられ、
該第１の電気的接続部は、少なくとも前記一方の筐体に設けられる固定側端子部と、該固定側端子部に対して着脱自在とされた媒体接続端子部とを備え、
前記２つの筐体を重ね合わせた際に、各筐体間に挟まれる薄板状の記録媒体が備える第２の電気的接続部と前記媒体接続端子部とが接続されることを特徴とする携帯端末装置。
【請求項２】
２つの筐体が重ね合わせ自在かつ相対移動可能に連結され、少なくとも一方の筐体の重ね合わされる側の内面に、第１の電気的接続部が設けられ、
該第１の電気的接続部は、少なくとも前記一方の筐体に設けられる固定側端子部と、該固定側端子部に対して着脱自在とされた媒体接続端子部とを備え、
前記２つの筐体を重ね合わせた際に、各筐体間に挟まれる薄板状の記録媒体が備える第２の電気的接続部と前記媒体接続端子部とが接続されることを特徴とする携帯端末装置。
【請求項３】
前記媒体接続端子部および前記第２の電気接続部がそれぞれ複数の端子を備え、
前記媒体接続端子部の端子の配列が、前記第２の電気接続部の端子の配列に対応していることを特徴とする請求項１または請求項２に記載の携帯端末装置。
【請求項４】
前記媒体接続端子部の厚さ寸法は、前記記録媒体を挟んで２つの筐体を重ね合わせた状態における前記一方の筐体の内面と、該一方の筐体の内面に対向する前記記録媒体の表面との隙間寸法に等しいことを特徴とする請求項１から請求項３のいずれかに記載の携帯端末装置。
【請求項５】
前記記録媒体を前記２つの筐体間に位置させ、かつ２つの筐体を互いに重ね合わせた際に、前記記録媒体を所定の位置に保持するガイド用突起が設けられていることを特徴とする請求項１から請求項４のいずれかに記載の携帯端末装置。
【請求項６】
前記ガイド用突起が、前記媒体接続端子部に設けられていることを特徴とする請求項５に記載の携帯端末装置。
【請求項７】
前記２つの筐体のいずれか一方の内面に押圧可能な第１の操作部が設けられ、
前記２つの筐体の開閉状態を検出する開閉検出手段が設けられ、
該開閉検出手段の検出結果に基づいて前記第１の操作部の押圧操作を無効にする第１の制御部が設けられていることを特徴とする請求項１から請求項６のいずれかに記載の携帯端末装置。
【請求項８】
少なくとも前記２つの筐体のいずれか一方の外面に表示部が設けられ、
該表示部に前記記録媒体との間の情報伝達内容を表示させる第２の制御部が設けられることを特徴とする請求項１から請求項７のいずれかに記載の携帯端末装置。
【請求項９】
前記２つの筐体のいずれか一方の外面に第２の操作部が設けられ、
該第２の操作部の操作に基づいて前記記録媒体との間の情報伝送を制御する第３の制御部が設けられていることを特徴とする請求項１から請求項８のいずれかに記載の携帯端末装置。
【発明の詳細な説明】
【０００１】
【発明の属する技術分野】
この発明は、薄板状の記録媒体と電気的に接続して、記録媒体との間で情報伝達を行う携帯端末装置に関する。
【０００２】
【従来の技術】
薄板状カード型の記録媒体を装着する携帯端末装置としては、従来、記録媒体を携帯端末装置の筐体内部に挿入するためのスロットを有しているものがあり、このスロットに記録媒体を挿入することにより、携帯端末装置と記録媒体との間で情報の伝達が行われるようになっている。
この記録媒体には様々な種類があり、記録媒体の種類毎に形状や接続端子の配置が異なっている。
【０００３】
【発明が解決しようとする課題】
しかしながら、上記の従来技術においては、記録媒体挿入用のスロットを有しているため、筐体の容積が大きくなり、携帯端末装置の小型化実現の障害となるという問題があった。
そこで、この問題を解決するために、例えば、特開２０００−２０３７９２号公報に記載のように、記録媒体を２つの筐体により挟み込む折畳み型携帯端末装置がある。しかしながら、この折畳み型携帯端末装置では、記録媒体と電気的に接続する接続端子が一方の筐体の内面に固定されているため、情報伝達を行う記録媒体が１種類に限られていたという問題があった。
【０００４】
そこで、この発明は、上述した事情に鑑みてなされたものであって、携帯端末装置において、小型化を図ると共に、様々な種類の記録媒体との間で情報伝達を行うことができる携帯端末装置を提供することを目的としている。
【０００５】
【課題を解決するための手段】
上記課題を解決するために、この発明は以下の手段を提案している。
請求項１および請求項２に係る発明は、２つの筐体が重ね合わせ自在、かつ、回動可能若しくは相対移動可能に連結され、少なくとも一方の筐体の重ね合わされる側の内面に、第１の電気的接続部が設けられ、該第１の電気的接続部は、少なくとも前記一方の筐体に設けられる固定側端子部と、該固定側端子部に対して着脱自在とされた媒体接続端子部とを備え、前記２つの筐体を重ね合わせた際に、各筐体間に挟まれる薄板状の記録媒体が備える第２の電気的接続部と前記媒体接続端子部とが接続されることを特徴とする携帯端末装置を提案している。
【０００６】
この発明に係る携帯端末装置によれば、様々な種類の記録媒体に応じて媒体接続端子部を選択して固定側端子部に固定することにより、様々な種類の記録媒体との間で情報伝達を行うことができる。
また、記録媒体を２つの筐体の間に挟み込むことにより、携帯端末装置と記録媒体とが電気的に接続されるため、記録媒体を筐体の内部に挿入するスロットを設ける必要がなくなり、携帯端末装置の小型化を図ることが可能となる。
【０００７】
請求項３に係る発明は、請求項１または請求項２に記載の携帯端末装置において、前記媒体接続端子部および前記第２の電気接続部がそれぞれ複数の端子を備え、前記媒体接続端子部の端子の配列が、前記第２の電気接続部の端子の配列に対応していることを特徴とする携帯端末装置を提案している。
【０００８】
この発明に係る携帯端末装置によれば、記録媒体を２つの筐体の間に挟み込んだ際に、媒体接続端子部の端子が記録媒体の端子に接触して、携帯端末装置と記録媒体とが電気的に接続されることになる。
【０００９】
請求項４に係る発明は、請求項１から請求項３のいずれかに記載の携帯端末装置において、前記媒体接続端子部の厚さ寸法は、前記記録媒体を挟んで２つの筐体を重ね合わせた状態における前記一方の筐体の内面と、該一方の筐体の内面に対向する前記記録媒体の表面との隙間寸法に等しいことを特徴とする携帯端末装置を提案している。
【００１０】
この発明に係る携帯端末装置によれば、特定の厚さ寸法を有する記録媒体に対応する媒体接続端子部を固定側端子部に固定した状態で、この記録媒体を２つの筐体により挟み込んだ際に、記録媒体と媒体接続端子部とが隙間なく当接することになる。
【００１１】
請求項５に係る発明は、請求項１から請求項４のいずれかに記載の携帯端末装置において、前記記録媒体を前記２つの筐体間に位置させ、かつ２つの筐体を互いに重ね合わせた際に、前記記録媒体を所定の位置に保持するガイド用突起が設けられていることを特徴とする携帯端末装置を提案している。
【００１２】
この発明に係る携帯端末装置によれば、記録媒体が、２つの筐体により挟み込まれた際に、ガイド用突起によって所定の位置に固定されるため、携帯端末装置と記録媒体との電気的な接続が確実かつ容易となり、情報伝達を確実に行うことが可能となる。
【００１３】
請求項６に係る発明は、請求項５に記載の携帯端末装置において、前記ガイド用突起が、前記媒体接続端子部に設けられていることを特徴とする携帯端末装置を提案している。
この発明に係る携帯端末装置によれば、ガイド用突起が固定側端子部に対して着脱自在な媒体接続端子部に設けられるため、様々な形状を有する記録媒体に応じたガイド用突起を設けることが可能となる。
【００１４】
請求項７に係る発明は、請求項１から請求項６のいずれかに記載の携帯端末装置において、前記２つの筐体のいずれか一方の内面に押圧可能な第１の操作部が設けられ、前記２つの筐体の開閉状態を検出する開閉検出手段が設けられ、該開閉検出手段の検出結果に基づいて前記操作部の押圧操作を無効にする第１の制御部が設けられていることを特徴とする請求項１から請求項３のいずれかに記載の携帯端末装置を提案している。
【００１５】
この発明に係る携帯端末装置によれば、２つの筐体を互いに閉じた状態で、操作部の押圧操作を無効とすることができるため、２つの筐体により記録媒体を挟み込んだ際に、記録媒体が操作部を押圧しても、その押圧操作は機能しない。
【００１６】
請求項８に係る発明は、請求項１から請求項７のいずれかに記載の携帯端末装置において、少なくとも前記２つの筐体のいずれか一方の外面に表示部が設けられ、該表示部に前記記録媒体との間の情報伝達内容を表示させる第２の制御部が設けられることを特徴とする請求項１から請求項４のいずれかに記載の携帯端末装置を提案している。
この発明に係る携帯端末装置によれば、２つの筐体により記録媒体を挟み込んで、記録媒体との間の情報伝達を行う際に、その伝達内容を表示部において視認することができる。
【００１７】
請求項９に係る発明は、請求項１から請求項８のいずれかに記載の携帯端末装置において、前記２つの筐体のいずれか一方の外面に第２の操作部が設けられ、該第２の操作部の操作に基づいて前記記録媒体との間の情報伝送を制御する第３の制御部が設けられていることを特徴とする携帯端末装置を提案している。
この発明に係る携帯端末装置によれば、２つの筐体により記録媒体を挟み込んだ状態で、記録媒体との間の情報伝達を第２の操作部により操作することができる。
【００１８】
【発明の実施の形態】
図１から図９はこの発明に係る一実施形態を示す。ここで説明する実施の形態は、この発明を折畳み型携帯電話機に適用した場合のものである。図１において、この実施の形態に係る折畳み型携帯電話機（携帯端末装置）１は、第１の筐体２と第２の筐体３とをヒンジ部４により互いに回動自在に連結してなるものである。第１の筐体２の内面５には、押圧可能な通話キー、終話キー等の各種の操作キー（第１の操作部）６、および音声入力部としてのマイクロフォン７が設けられている。
【００１９】
第２の筐体３の内面８には、各種の情報を表示する第１の表示部９、音声出力部としてのスピーカ１０が設けられている。また、第２の筐体３の基端部３ａ側の内面８には、電気的接続部（第１の電気的接続部）１１が設けられている。
電気的接続部１１は、図２に示すように、第１の筐体２と第２の筐体３との間に薄板状に形成されたカード型の記録媒体５０を挟み込んだ状態で、第２の筐体３と記録媒体５０とを電気的に接続するものであり、折畳み型携帯電話機１と記録媒体５０との間で情報伝達を行うことができるようになっている。
【００２０】
この電気的接続部１１は、図３に示すように、ユニット装着部（固定側端子部）１７と接続端子ユニット（媒体接続端子部）１８とからなり、接続端子ユニット１８は、ユニット装着部１７に対して着脱自在となっている。ユニット装着部１７には、複数の端子１９が設けられており、これら端子１９は、ユニット装着部１７と接続端子ユニット１８とを電気的に接続するためのものである。
【００２１】
接続端子ユニット１８は、図４から図６の各（ａ），（ｂ）に示すように、平面視略矩形で薄板状に形成されており、その表面１８ａには、複数の端子２０が設けられると共に、表面１８ａから突出する一対のガイド用突起２１が形成されている。
端子２０は、後述する記録媒体５０と電気的に接続するためのものである。ガイド用突起２１は、第１、第２の筐体２，３により記録媒体５０を挟み込んだ際に、記録媒体５０を接続端子ユニット１８に対して所定の位置に固定するものであり、接続端子ユニット１８の長さ方向に直交する方向に形成されている。
【００２２】
接続端子ユニット１８の裏面側１８ｂには、複数の端子２２が設けられており、この端子２２は、接続端子ユニット１８をユニット装着部１７に装着した際に、前述したユニット装着部１７の複数の端子１９の一部と接触し、ユニット装着部１７と接続端子ユニット１８とが電気的に接続することになる。
【００２３】
このように構成された接続端子ユニット１８は、市場に流通している各種の記録媒体５０に応じて交換可能となっており、各々の記録媒体５０に対応する構成を有している。
すなわち、図４（ｃ）に示す記録媒体５０は、平面視矩形のカード型に形成されており、その表面５１の端部５２に１０個の端子５３を１列に密に配したものである。ここで、複数の端子５３は、前述した電気的接続部１１に接続するための電気的接続部（第２の電気的接続部）５４を構成している。
【００２４】
図４（ａ），（ｂ）の接続端子ユニット１８においては、この記録媒体５０に対応するように、１０個の端子２０が１列に配されている。また、ガイド用突起２１間の幅寸法ｗ１は、記録媒体５０が一対のガイド用突起２１に係合するように、記録媒体５０の幅寸法ｗ２と同等の寸法に形成されている。
これにより、記録媒体５０が、第１、第２の筐体２，３に挟まれた際には、ガイド用突起２１の間に係合して所定の位置に固定されると共に、端子２０と端子５３とが互いに接触することになる。
【００２５】
また、図５（ｃ）に示すカード型の記録媒体５０は、その表面５１の端部５２に１２個の端子５３を２列に配したものである。図５（ａ），（ｂ）の接続端子ユニット１８においては、この記録媒体５０に対応するように、１２個の端子２０が２列に配されている。また、ガイド用突起２１間の幅寸法ｗ３は、記録媒体５０がガイド用突起２１に係合するように、記録媒体５０の幅寸法ｗ４と同等の寸法に形成されている。
【００２６】
また、図６（ｃ）に示すカード型の記録媒体５０は、その表面５１の端部５２に１６個の端子５３を密に２列に配したものである。図６（ａ），（ｂ）の接続端子ユニット１８においては、この記録媒体５０に対応するように、１６個の端子２０が２列に配されている。また、ガイド用突起２１間の幅寸法ｗ５は、記録媒体５０がガイド用突起２１に係合するように、記録媒体５０の幅寸法ｗ６と同等の寸法に形成されている。
【００２７】
図４から図６の各（ｂ）に示すように、各々の接続端子ユニット１８の裏面１８ｂに配された端子２２の数が異なっているが、これは、接続端子ユニット１８および記録媒体５０の種別を前述したユニット装着部１７において識別するのためのものである。
すなわち、接続端子ユニット１８をユニット装着部１７に装着した際に、前述したユニット装着部１７の端子１９と、接続端子ユニット１８の端子２２との接触／非接触の組み合わせに応じて、接続端子ユニット１８および記録媒体５０の種類を識別するようになっている。
【００２８】
また、各々の接続端子ユニット１８の厚さ寸法ｔは、各記録媒体５０に対応するように、接続端子ユニット１８を挟んで第１、第２の筐体２，３を互いに閉じた状態において、第１、第２の筐体３の内面８と記録媒体５０の表面５１との間の隙間寸法に等しくなる大きさとなっている。これにより、第１、第２の筐体２，３が接続端子ユニット１８を挟んだ状態では、接続端子ユニット１８の表面１８ａと記録媒体５０の表面５１とが当接することになる。
【００２９】
図７に示すように、第２の筐体３の外面１２には、第２の表示部（表示部）１３が設けられ、側面（外面）１４には操作キー（第２の操作部）１５が設けられている。
第２の表示部１３は、折畳み型携帯電話機１と記録媒体５０との間で情報伝達を行う際に、その伝達内容を視認するためのものである。操作キー１５は、第１の筐体２と第２の筐体３とにより記録媒体５０を挟み込んだ際に、折畳み型携帯電話機１と記録媒体５０との間の情報伝達を操作するためのものである。
【００３０】
第１、第２の筐体２，３の回動端部２ａ，３ａ側の内面５，８には、それぞれ突起１６が設けられており、記録媒体５０を挟み込まないで、第１、第２の筐体２，３を互いに折り畳んだ際に、内面５，８が互いに当接しないようになっている。
【００３１】
また、この折畳み型携帯電話機１の内部には、図８に示すように、折畳み状態検出部（開閉検出手段）３１、無線通信部３２、着信通知部３３、計時部３４、内蔵メモリ部３５、記録媒体データ送受信部３６、制御装置３７が設けられている。
【００３２】
折畳み状態検出部３１は、第１、第２の筐体２，３の開閉状態を検出するものであり、第１、第２の筐体２，３が互いに閉じられた際に、その検出結果を制御装置３７に出力するものである。
【００３３】
無線通信部３２は、無線基地局６１を介してインターネットや公衆回線網等の通信網６２との間で通話や各種情報の送受信を行うものである。着信通知部３３は、無線基地局６１から無線通信部３２に通話の着信や情報の受信がなされた場合に、折畳み型携帯電話機１の使用者に、音、振動、光等により着信や受信を報知するものである。
計時部３４は、内蔵クロックに基づいて現在時刻を管理するものである。内蔵メモリ部３５は、各種の情報を記録・保存するためのものであり、また、制御装置３７の指示に基づいて、記録媒体５０や第１、第２の表示部９，１３等の各部に各種の情報を出力するものである。
【００３４】
第１、第２の表示部９，１３は、制御装置３７の指示に基づいて各種の情報を表示するものであり、特に、第２の表示部１３は、記録媒体５０と内蔵メモリ部３５との間で行われる情報伝達の内容を表示できるようになっている。
マイクロフォン７およびスピーカ１０は、無線通信部３２を介して公衆回線網との間で通話を行うものである。
【００３５】
記録媒体データ送受信部３６は、ユニット装着部１７に設けられたユニット種別検出部３８の検出結果に基づいて、記録媒体５０から読み出された情報を接続端子ユニット１８とユニット装着部１７とを介して制御装置３７に出力すると共に、制御装置３７から書き込みが指示された情報をユニット装着部１７と接続端子ユニット１８とを介して記録媒体５０に出力する。
【００３６】
なお、上記の記録媒体データ送受信部３６が行う処理を行うためのソフトウェアを所定のメモリ内に予め記録しておき、このソフトウェアを実行することにより、記録媒体データ送受信部３６の機能を実現するとしてもよい。
【００３７】
ユニット種別検出部３８は、前述したユニット装着部１７の端子１９と、接続端子ユニット１８の端子２２との接触／非接触の組み合わせに応じて、接続端子ユニット１８の種類を検出するものである。
【００３８】
制御装置３７は、第１の制御部３７ａ、第２の制御部３７ｂおよび第３の制御部３７ｃを備えている。
第１の制御部３７ａは、折り畳み状態検出部３１の検出結果に基づいて操作キー６の押圧操作を無効にするものである。すなわち、第１、第２の筐体２，３を互いに閉じた状態において、折り畳み状態検出部３１がこの閉じた状態を検出することにより、第１の制御部３７ａが操作キー６の押圧操作を無効にするようになっている。
【００３９】
第２の制御部３７ｂは、第２の表示部１３に記録媒体５０との間の情報伝達内容を表示させるものであり、第３の制御部３７ｃは、操作キー１５の操作に基づいて記録媒体５０との間の情報伝送を制御するものである。
【００４０】
なお、伝送される情報は、例えば、電子メール、第１、第２の表示部６，１５に表示可能な画像・映像、インターネット情報、折畳み型携帯電話機１において再生可能な音楽ファイル、折畳み型携帯電話機１において動作するアプリケーションソフトである。これらの情報は、無線通信部３２を介して通信網６２との間でも送受信可能となっている。
【００４１】
以下、上記のように構成された折畳み型携帯電話機１の使用方法について説明する。
この折畳み型携帯電話機１において、記録媒体５０との間で情報伝達を行う際には、はじめに、図９に示すように、第１の筐体２の内面５に記録媒体５０を配置し、次いで、第１の筐体２に対して第２の筐体３を閉じることにより、図２に示すように、接続端子ユニット１８の表面１８ａと記録媒体５０の表面５１とが当接することになる。
【００４２】
この状態では、記録媒体５０が、接続端子ユニット１８のガイド用突起２１に係合して、所定の位置に固定されると共に、接続端子ユニット１８の表面１８ａと記録媒体５０の表面５１とが当接する。これにより、接続端子ユニット１８の端子２０と記録媒体５０の端子５３とが接触して、折畳み型携帯電話機１と記録媒体５０とが電気的に接続されることになる。
また、この状態では、折り畳み状態検出部３１が、第１、第２の筐体２，３が互いに閉じられている状態にあることを検出する。そして、この検出結果に基づいて、第１の制御部３７ａが、操作キー６の押圧操作を無効にするため、記録媒体５０が操作キー６を押圧しても、その押圧操作は機能しない。
【００４３】
そして、この状態で、折畳み型携帯電話機１の使用者が、操作キー１５を操作すると、制御装置３７を介して内蔵メモリ部３４と記録媒体５０との間で情報伝達が行われると共に、その情報伝達の内容が、第２の表示部１３に表示されることになる。
【００４４】
様々な種類の記録媒体５０との間で情報伝達を行う場合には、各々の記録媒体５０の規格に対応した接続端子ユニット１８をユニット装着部１７に装着する。この際には、ユニット種別検出部３８が、ユニット装着部１７の端子１９と、接続端子ユニット１８の端子２２との接触／非接触の組み合わせに応じて接続端子ユニット１８および記録媒体５０の種別を検出し、この検出結果に基づいて、記録媒体データ送受信部３６によって、内蔵メモリ部３４と記録媒体５０との間で情報伝達が行われることになる。
【００４５】
上記のように、この折畳み型携帯電話機１によれば、様々な種類の記録媒体５０に応じて接続端子ユニット１８を選択してユニット装着部１７に固定することにより、様々な種類の記録媒体５０と内蔵メモリ部３４との間で情報伝達を行うことができる。
また、記録媒体５０を第１、第２の筐体２，３の間に挟み込むことにより、折畳み型携帯電話機１と記録媒体５０とが電気的に接続されるため、記録媒体５０を筐体の内部に挿入するスロットを設ける必要がなくなり、折畳み型携帯電話機１の小型化を図ることが可能となる。
【００４６】
さらに、端子５３の配列が異なる記録媒体５０のそれぞれに対応するように、接続端子ユニット１８の端子２０が配されているため、記録媒体５０を２つの筐体の間に挟み込んだ際には、接続端子ユニット１８の端子２０が記録媒体５０の端子５３に接触して、折畳み型携帯電話機１と記録媒体５０とが電気的に接続されることになる。したがって、様々な種類の記録媒体５０との間の情報伝達を容易に実行できる。
【００４７】
また、特定の厚さ寸法を有する記録媒体５０に対応する接続端子ユニット１８をユニット装着部１７に固定した状態で、この記録媒体５０を第１、第２の筐体２，３により挟み込んだ際には、接続端子ユニット１８の表面１８ａと記録媒体５０の表面５１とが当接する。このため、折畳み型携帯電話機１と記録媒体５０とを確実に接続することができる。
【００４８】
さらに、ガイド用突起２１がユニット装着部１７に対して着脱自在な接続端子ユニット１８に設けられ、記録媒体５０が、２つの筐体により挟み込まれた際に、ガイド用突起２１に係合して所定の位置に保持される。
このため、様々な幅寸法を有する記録媒体５０に応じたガイド用突起２１を設けることが可能となると共に、折畳み型携帯電話機１と記録媒体５０との電気的な接続が確実かつ容易となり、各々の種類の記録媒体５０を確実に所定の位置に固定することができる。
【００４９】
また、折り畳み状態検出手段３１および第１の制御部３７ａにより、第１、第２の筐体２，３により記録媒体５０を挟み込んだ際に、記録媒体５０が内面５の操作キー６を押圧しても、その押圧操作が機能しないため、内蔵メモリ部３４と記録媒体５０との間での情報伝達を確実に行うことが可能となる。
【００５０】
さらに、第２の筐体３の外面１２に第２の表示部１３が設けられているため、第１、第２の筐体２，３により記録媒体５０を挟み込んで、内蔵メモリ部３４と記録媒体５０との間の情報伝達を行う際に、その伝達内容を第２の表示部１３において視認することができる。
【００５１】
また、第２の筐体３の側面１４に操作キー１５が設けられているため、第１、第２の筐体２，３により記録媒体５０を挟み込んだ状態で、内蔵メモリ部３４と記録媒体５０との間の情報伝達を操作キー１５により操作することができる。
【００５２】
なお、上記の実施の形態においては、操作キー１５の操作に基づいて内蔵メモリ部３４と記録媒体５０との間で情報伝達が行われるとしたが、これに限ることはなく、例えば、操作キー１５の操作に基づいて記録媒体５０の情報を第２の表示部１５に表示したり、無線通信部３２を介して通信網６２に伝送したりしてもよい。
【００５３】
また、電気的接続部１１は、第２の筐体３の内面８に設けられるとしたが、これに限ることはなく、例えば、第１の筐体２の内面５に設けられるとしてもよい。
さらに、第２の表示部１３および操作キー１５は、それぞれ第２の筐体３の外面１２および側面１４に配されるとしたが、これに限ることはなく、第１、第２の筐体２，３の折り畳まれる側の外面に設けられていればよい。
【００５４】
また、記録媒体５０は、平面視矩形状の薄板状に形成されるとしたが、これに限ることはなく、第１の筐体と第２の筐体３との間に挟み込むことができる薄板状に形成されていればよい。
さらに、第１、第２の筐体２，３がヒンジ部４により互いに折り畳み自在となるとしたが、これに限ることはなく、第１、第２の筐体２，３が互いに重ね合わせ自在でかつ相対移動可能に連結され、薄板状の記録媒体５０を２つの筐体２，３により挟み込むことができるようになっていればよい。
【００５５】
したがって、例えば、２つの筐体が、互いの厚さ方向に軸線を有する回転軸により、折り畳み自在に連結されていてもよいし、また、一方の筐体の幅方向に軸線を有する回転軸と、２つの筐体の厚さ方向に軸線を有する回転軸とにより、折り畳み自在に連結されていてもよい。
さらに、第１、第２の筐体が、その重ね合わされる側の内面に沿ってスライドするように、重ね合わせ自在に連結されていてもよい。
【００５６】
また、携帯電話機に限ることはなく、例えば、簡易型携帯電話機、ＰＤＡ（Ｐｅｒｓｏｎａｌ　Ｄａｔａ　Ａｓｓｉｓｔａｎｔ）、携帯可能なパーソナルコンピュータ等の携帯端末装置であってもよい。
以上、本発明の実施形態について図面を参照して詳述したが、具体的な構成はこの実施形態に限られるものではなく、本発明の要旨を逸脱しない範囲の設計変更等も含まれる。
【００５７】
【発明の効果】
以上説明したように、請求項１に係る発明によれば、媒体接続端子部が固定側端子部に対して着脱自在であるため、様々な種類の記録媒体との間で情報伝達を行うことができる。
また、記録媒体を２つの筐体の間に挟み込むことにより、携帯端末装置と記録媒体とが電気的に接続されるため、記録媒体を筐体の内部に挿入するスロットを設ける必要がなくなり、筐体の小型化を図ることが可能となる。
【００５８】
また、請求項２に係る発明によれば、各々に特定の端子配列を有する記録媒体に対応するように、媒体接続端子部の端子が配列されているため、様々な種類の記録媒体との間の情報伝達を容易に実行できる。
【００５９】
また、請求項３に係る発明によれば、特定の厚さ寸法を有する記録媒体に対応する媒体接続端子部を固定側端子部に固定した状態で、この記録媒体を２つの筐体により挟み込んだ際に、記録媒体と媒体接続端子部とが隙間なく当接することになる。このため、第２の電気的接続部と媒体接続端子部とを確実に接続することができる。
【００６０】
また、請求項４に係る発明によれば、記録媒体を所定の位置に保持するガイド用突起が設けられているため、携帯端末装置と記録媒体との電気的な接続が確実かつ容易となり、情報伝達を確実に行うことが可能となる。
【００６１】
また、請求項５に係る発明によれば、様々な形状を有する記録媒体に応じたガイド用突起を媒体接続端子部に設けることにより、各々の種類の記録媒体を確実に所定の位置に固定することができる。
【００６２】
また、請求項６に係る発明によれば、２つの筐体により記録媒体を挟み込んだ際に、記録媒体が操作部を押圧しても、その押圧操作は機能しないため、記録媒体との間での情報伝達を確実に行うことが可能となる。
【００６３】
また、請求項７に係る発明によれば、筐体の外面に表示部が設けられているため、２つの筐体により記録媒体を挟み込んだ際に、記録媒体との間の情報伝達の内容を表示部において視認することができる。
【００６４】
また、請求項８に係る発明によれば、筐体の外面に第２の操作部が設けられているため、２つの筐体により記録媒体を挟み込んだ状態で、記録媒体との間の情報伝達を第２の操作部により操作することができる。
【図面の簡単な説明】
【図１】この発明の実施形態に係る折畳み型携帯電話機において、第１の筐体と第２の筐体とを相互に開いた状態を示す平面図である。
【図２】図１の折畳み型携帯電話機において、記録媒体を第１、第２の筐体により挟み込んだ状態を示す側面図である。
【図３】図１の折畳み型携帯電話機において、接続端子ユニットをユニット装着部から取り外した状態を示す平面図である。
【図４】図１の折畳み型携帯電話機において、接続端子ユニットを示しており、（ａ）は平面図、（ｂ）は正面図である。また、（ｃ）は、この接続端子ユニットに対応する記録媒体を示す平面図である。
【図５】図１の折畳み型携帯電話機において、接続端子ユニットを示しており、（ａ）は平面図、（ｂ）は正面図である。また、（ｃ）は、この接続端子ユニットに対応する記録媒体を示す平面図である。
【図６】図１の折畳み型携帯電話機において、接続端子ユニットを示しており、（ａ）は平面図、（ｂ）は正面図である。また、（ｃ）は、この接続端子ユニットに対応する記録媒体を示す平面図である。
【図７】図１の折畳み型携帯電話機において、記録媒体を狭持するように第１の筐体と第２の筐体とを相互に閉じた状態を示す側面図である。
【図８】図１の折畳み型携帯電話機において、折畳み型携帯電話機の内部構造を示す概略構成図である。
【図９】この発明の実施形態に係る折畳み型携帯電話機において、第１の筐体と第２の筐体とを相互に開き、第１の筐体の内面に記録媒体を配置した状態を示す平面図である。
【符号の説明】
１　折畳み型携帯電話機（携帯端末装置）
２　第１の筐体
３　第２の筐体（一方の筐体）
６　操作キー（第１の操作部）
８　内面
１１　電気的接続部（第１の電気的接続部）
１２　外面
１３　第２の表示部（表示部）
１４　側面（外面）
１５　操作キー（第２の操作部）
１７　ユニット装着部（固定側端子部）
１８　接続端子ユニット（媒体接続端子部）
２０　端子
２１　ガイド用突起
３１　折畳み状態検出部（開閉検出手段）
３７ａ　第１の制御部
３７ｂ　第２の制御部
３７ｃ　第３の制御部
５０　記録媒体
５１　表面
５３　端子
５４　電気的接続部（第２の電気的接続部）
ｔ　厚さ寸法
【図１】
2004040202.tif 000003
【図２】
2004040202.tif 000004
【図３】
2004040202.tif 000005
【図４】
2004040202.tif 000006
【図５】
2004040202.tif 000007
【図６】
2004040202.tif 000008
【図７】
2004040202.tif 000009
【図８】
2004040202.tif 000010
【図９】
2004040202.tif 000011